(57)【要約】【課題】  異なる仕様の電源で動作可能な回路基板におけるスタンバイ電圧の印加時の電力消費を抑制できる電力制御回路を提供する。【解決手段】  本発明の電力制御回路は、電源から回路基板へのスタンバイ電圧の印加時に負荷となり、回路基板に接続する電源に対応して抵抗が異なる、複数の負荷抵抗と、複数の負荷抵抗のうち、回路基板に接続する電源に応じた負荷抵抗を選択する選択部を備える。【選択図】      図１
2015172864.tif 000002
【特許請求の範囲】
【請求項１】
電源から回路基板へのスタンバイ電圧の印加時に負荷となり、前記回路基板に接続する前記電源に対応して抵抗が異なる、複数の負荷抵抗と、
前記複数の負荷抵抗のうち、前記回路基板に接続する前記電源に応じた前記負荷抵抗を選択する選択部を備える、
電力制御回路。
【請求項２】
前記負荷抵抗と前記選択部を有する負荷抵抗部の群を備え、
前記選択部は、前記負荷抵抗部の群のうち、前記回路基板に接続する前記電源に応じた前記負荷抵抗を有する前記負荷抵抗部を選択する、
請求項１に記載の電力制御回路。
【請求項３】
前記選択部毎に、ジャンパを備え、
前記選択部毎のジャンパ設定によって回路基板に接続する前記電源に応じた前記負荷抵抗を選択し、前記負荷抵抗部を排他的に選択する、
請求項２に記載の電力制御回路。
【請求項４】
前記負荷抵抗と、前記選択部と、スイッチを有する負荷抵抗部の群を備え、
前記負荷抵抗部の群のうち、前記回路基板に接続する前記電源に応じた前記負荷抵抗を備える前記負荷抵抗部が、前記選択部により選択され、
前記スイッチは、前記電源から前記回路基板に供給される電圧に基づく制御信号に応じて、前記選択された前記負荷抵抗部における前記負荷抵抗の接続と切り離しを変更する、
請求項１に記載の電力制御回路。
【請求項５】
前記電源から前記回路基板への前記スタンバイ電圧の印加時に、前記スイッチは、前記負荷抵抗と接続を維持し、前記電源から前記回路基板への回路動作電圧の印加時に、前記スイッチは、前記負荷抵抗との接続を切り離す、
請求項４に記載の電力制御回路。
【請求項６】
請求項１に記載の電力制御回路を備える回路基板。
【請求項７】
制御部と、電力制御回路を備える回路基板であって、
前記制御部は、
前記回路基板に接続する電源の出力電圧の状態を示す信号に基づき制御信号を生成し、
前記電力制御回路は、
負荷抵抗と、選択部と、スイッチを有する負荷抵抗部の群を備え、
前記負荷抵抗は、前記電源から前記回路基板へのスタンバイ電圧の印加時に負荷となり、前記回路基板に接続する前記電源に対応して前記負荷抵抗部毎に抵抗が異なり、
前記負荷抵抗部の群のうち、前記回路基板に接続する前記電源に応じた前記負荷抵抗を備える前記負荷抵抗部が、前記選択部により選択され、
前記スイッチは、前記制御信号に応じて、前記選択された前記負荷抵抗部における前記負荷抵抗の接続と切り離しを変更する、
回路基板。
【請求項８】
請求項６に記載の回路基板を備える情報処理装置。
【請求項９】
請求項７に記載の回路基板を備える情報処理装置。
【発明の詳細な説明】
【技術分野】
【０００１】
本発明は、電力制御回路、回路基板、及び、情報処理装置に関し、特に異なる仕様の電源で動作する回路基板の電力制御に関する。
【背景技術】
【０００２】
近年、大規模サーバの拡大に伴い、サーバの動作時だけではなくサーバの待機時（スタンバイ時）における消費電力の低減が求められている。
【０００３】
パーソナルコンピュータ又は汎用サーバの回路基板は、スタンバイ電圧の印加時に最小負荷電流を満足するような負荷抵抗を設けている。このような負荷抵抗に対しても省電力化のための様々な工夫がなされている。
【０００４】
特許文献１に、負荷抵抗を無負荷ないし軽負荷時に接続し、高負荷時に切り離すことで高負荷時に負荷抵抗で消費する無駄な電力を削減することが記載されている。
【先行技術文献】
【特許文献】
【０００５】
【特許文献１】実開平６−２９３９４号公報
【発明の概要】
【発明が解決しようとする課題】
【０００６】
一方、コンピュータ又はサーバでは、コストの低減、及び、様々なユーザニーズに応えるために、回路基板が異なる仕様の電源で動作可能となっている。
【０００７】
このような回路基板の負荷抵抗は、一方の電源に合せた抵抗値に固定される。そのため他の電源を回路基板に接続した場合、スタンバイ電圧の印加時に無駄な電力が消費される。
【０００８】
本発明の目的は、異なる仕様の電源で動作可能な回路基板に対して、スタンバイ電圧の印加時に負荷抵抗における電力消費を低減できる電力制御回路、回路基板、及び、情報処理装置を提供することにある。
【課題を解決するための手段】
【０００９】
本発明の電力制御回路は、電源から回路基板へのスタンバイ電圧の印加時に負荷となり、回路基板に接続する電源に対応して抵抗が異なる、複数の負荷抵抗と、複数の負荷抵抗のうち、回路基板に接続する電源に応じた負荷抵抗を選択する選択部を備える。
【００１０】
本発明の回路基板は、上記の電力制御回路を備える。
【００１１】
本発明の情報処理装置は、上記の回路基板を備える。
【発明の効果】
【００１２】
本発明の電力制御回路、回路基板、及び、情報処理装置は、異なる仕様の電源で動作可能な回路基板に対して、スタンバイ電圧の印加時に負荷抵抗における電力消費を低減できる。
【図面の簡単な説明】
【００１３】
【図１】本発明の第１の実施形態における電力制御回路の構成を示すブロック図である。
【図２】本発明の第２の実施形態における電力制御回路の構成を示すブロック図である。
【図３】本発明の第３の実施形態における電力制御回路を搭載した回路基板の構成を示すブロック図である。
【図４】本発明の第３の実施形態における電力制御回路の構成を示すブロック図である。
【図５】本発明の第４の実施形態における電力制御回路の負荷抵抗部の構成を示す図である。
【図６】本発明の第５の実施形態における電力制御回路を搭載した回路基板、及び、情報処理装置の構成を示すブロック図である。
【発明を実施するための形態】
【００１４】
＜第１の実施形態＞
本発明の第１の実施形態における電力制御回路について、図１を用いて説明する。図１は、第１の実施形態における電力制御回路の構成を示すブロック図である。
【００１５】
図中、電力制御回路１は、第１負荷抵抗２、第２負荷抵抗３、選択部４を備える。
【００１６】
電力制御回路１は、回路基板（図示せず）上に設けられ、回路基板を駆動するための電源（図示せず）と接続される。本明細書では、基板上の電子回路、及び、基板上の配線を含めて回路基板と呼ぶ。電源は、回路基板に実装される電子回路の動作電圧の他に、スタンバイ時のスタンバイ電圧を供給する機能を備える。
【００１７】
回路基板は、異なる仕様の電源で動作可能であり、本明細書では異なる仕様の電源を第１電源、又は、第２電源として説明する。
【００１８】
電力制御回路１の第１負荷抵抗２は、第１電源のスタンバイ電圧で回路基板の最小負荷電流を満足する抵抗値（Ｒ１Ω）を有し、第２の負荷抵抗は、第２電源のスタンバイ電圧で回路基板の最小負荷電流を満足する抵抗値（Ｒ２Ω）を有する。
【００１９】
電力制御回路１の選択部４は、回路基板に接続する第１電源、又は、第２電源に応じて第１負荷抵抗２、及び、第２負荷抵抗３のいずれか１つを各電源の負荷抵抗として選択する機能を備える。選択部４による第１負荷抵抗２、第２負荷抵抗３の選択は、スタンバイ電圧が電力制御回路１に印加される前に実施することが好ましい。
【００２０】
本発明の第１の実施形態の電力制御回路によれば、異なる仕様の電源で動作可能な回路基板における待機時の電力消費を抑制することが可能となる。
【００２１】
その理由は、電力制御回路１は、スタンバイ電圧の印加時に負荷電流を流すための負荷抵抗を異なる仕様の電源毎に備え、選択部４により回路基板に接続する電源に応じて負荷抵抗を選択可能とした構成を備えるからである。
＜第２の実施形態＞
本発明の第２の実施形態における電力制御回路１について、図２を用いて説明する。図２は、第２の実施形態における電力制御回路の構成を示すブロック図である。第２の実施形態は、第１の実施形態をより具体例した例の一つである。
【００２２】
図中、電力制御回路は、第１負荷抵抗部１０、及び、第２負荷抵抗部１１を備える。
【００２３】
第１の実施形態と同様、電力制御回路１は、回路基板（図示せず）上に搭載され、回路基板を駆動するための電源（図示せず）と接続されている。電源は、回路基板に実装される電子回路の動作電圧の他に、待機時のスタンバイ電圧を供給する機能を備える。
【００２４】
回路基板は、異なる仕様の電源で動作可能であり、第２の実施形態でも異なる仕様の電源を、第１電源、及び、第２電源として説明する。
【００２５】
第１負荷抵抗部１０は、第１負荷抵抗２と、第１ジャンパ１４を有する第１選択部１２とを備える。第２負荷抵抗部１１は、第２負荷抵抗３と、第２ジャンパ１５を有する第２選択部１３とを備える。
【００２６】
第１負荷抵抗２は、第１電源のスタンバイ電圧で回路基板の最小負荷電流を満足させる抵抗値（Ｒ１Ω）を有し、第２負荷抵抗２は、第２電源のスタンバイ電圧で回路基板の最小負荷電流を満足させる抵抗値（Ｒ２Ω）を有する。
【００２７】
第１選択部１２の第１ジャンパ１４、及び、第２選択部１３の第２ジャンパ１５は、ジャンパを導通に設定することで負荷抵抗に負荷電流が流れ、ジャンパ設定を短絡に設定することで負荷抵抗に負荷電流が流れない構成を備える。
【００２８】
第２の実施形態における電力制御回路１では、第１電源を搭載する場合、第１ジャンパを導通、第２ジャンパを短絡に設定することで、第１負荷抵抗２が選択される。また、第２電源を搭載する場合、第１ジャンパを短絡、第２ジャンパを導通に設定することで第２負荷抵抗３が選択される。このように第１ジャンパ１４と第２ジャンパ１５の設定によって、第１負荷抵抗部１０、又は、第２負荷抵抗部１１が排他的に選択可能となる。
【００２９】
本発明の第２の実施形態は、回路基板に接続する電源に応じた負荷抵抗を有する負荷抵抗部を複数備え、各負荷抵抗部に設けられたジャンパの設定によって、複数の負荷抵抗部から１つ負荷抵抗部を選択できる構成を採用している。これにより回路基板に接続する電源に応じた負荷抵抗が選択可能になる。
【００３０】
本発明の第２の実施形態の電力制御回路は、第１の実施形態と同様に、異なる仕様の電源で動作可能な回路基板における待機時の電力消費を抑制することが可能となる。
【００３１】
なお、第２の実施形態は、第１電源、及び、第２電源の２つの電源の例を説明したが、これに限られるものではない。異なる仕様の電源が３以上の場合は、回路基板に接続可能な電源に応じた負荷抵抗を有する負荷抵抗部をさらに追加し、ジャンパの設定で負荷抵抗を選択することにより、接続する電源に応じた負荷抵抗が選択可能となる。
＜第３の実施形態＞
本発明の第３の実施形態における電力制御回路、電力制御回路を搭載した回路基板、及び、回路基板を備える情報処理装置について、図３、図４を用いて説明する。第３の実施形態は、スタンバイ電圧の印加時に負荷電流を流すために利用した負荷抵抗を、回路基板に実装される電子回路に動作電圧を印加する間は切り離し負荷電流を流さない構成を第２の実施形態に追加した例である。
【００３２】
はじめに、図３は、情報処理装置８の構成を示すブロック図である。図中、情報処理装置８は、回路基板６、及び、電源７を備え、回路基板６は、制御部５および電力制御回路１を備える。また回路基板６に電源７が接続される。回路基板６は、異なる仕様の電源７で動作可能であるとする。なお、第３の実施形態では、異なる仕様の電源７は、必要に応じて第１電源、又は、第２電源として説明する。
【００３３】
電源７は、回路基板６に実装される電子回路の動作のための動作電圧の他に、回路基板６上の電子回路を待機状態にするスタンバイ電圧を供給する。
【００３４】
回路基板６の制御部５は、電源７をコントロールする機能を備え、回路基板６上に搭載する演算素子（図示せず）又は記憶素子（図示せず）を駆動する動作電圧の供給を制御する。更に、制御部５は、電源７から回路基板６に供給する電圧の状態を示す信号を受信し、かつ、受信した信号に基づき制御信号を生成して電力制御回路１へ出力する。
【００３５】
電源７の出力電圧の状態を示す信号は、電源７から出力されるＰｏｗｅｒ−Ｇｏｏｄ信号を用いる。Ｐｏｗｅｒ−Ｇｏｏｄ信号は、回路基板６に実装される電子回路の動作電圧が、所定の出力電圧以上の場合がＨｉｇｈレベル、所定の出力電圧に満たない場合がＬｏｗレベルの信号となる。
【００３６】
制御部５は、電源７からのＰｏｗｅｒ−Ｇｏｏｄ信号に対して増幅、減衰または反転などの信号処理が可能であり、処理後に制御信号として電力制御回路１へ出力する。第３の実施形態では、制御部５は、電源７からのＰｏｗｅｒ−Ｇｏｏｄ信号をそのまま電力制御回路１へ制御信号として出力する。
【００３７】
次に、第３の実施形態における電力制御回路１について図４を用いて説明する。図中、電力制御回路１は、回路基板６を介して電源７と接続されスタンバイ電圧が供給される。更に、回路基板６の制御部５から制御信号が、電力制御回路１に入力される。
【００３８】
次に、第３の実施形態の電力制御回路１について図３と図４を用いて説明する。図４は、第３の実施形態における電力制御回路１の構成を示すブロック図である。
【００３９】
電力制御回路１は、第１負荷抵抗部１０、及び、第２負荷抵抗部１１を備える。第２の実施形態と同様、電力制御回路１は、回路基板６上に搭載され、回路基板６上の電子回路を駆動するための電源７と接続される。
【００４０】
電力制御回路１の第１負荷抵抗部１０は、第１負荷抵抗２と第１ジャンパ１４を有する第１選択部１２、及び、スイッチ１６を備える。また電力制御回路１の第２負荷抵抗部１１は、第２負荷抵抗３と第２ジャンパ１５を有する第２選択部１３、及び、スイッチ１６を備える。
【００４１】
以下、説明を簡単にするために第３の実施形態では、第１選択部１２の第１ジャンバー１４、及び、第２選択部１３の第２ジャンパ１５におけるジャンパ設定後、第１負荷抵抗部１０が選択され、スタンバイ時に第１負荷抵抗部１０の第１負荷抵抗２に電流が流れるものとして説明する。なおジャンパ設定は、第２の実施形態と同様にジャンパの導通又は短絡により電源７に対応した負荷抵抗を備えた負荷抵抗部が選択される。
【００４２】
まず、回路基板６上に搭載された制御部５は、第１負荷抵抗部１０の第１負荷抵抗２の接続や切り離しを行うための制御信号を生成し、後段の電力制御回路１へ出力する。制御信号は、電源から出力される電源の出力電圧の状態を示す信号に基づいて生成される。
【００４３】
第１負荷抵抗部１０のスイッチ１６は、第１負荷抵抗２に接続され、制御信号に応じて第１負荷抵抗２との接続を切り離す機能を備える。第１負荷抵抗部１０のスイッチ１６は、Ｈｉｇｈレベルの入力によって第１負荷抵抗２との接続が切り離され、Ｌｏｗレベルの入力によって第１負荷抵抗２と接続される機能を備える。
【００４４】
電源７がスタンバイ電圧を供給している間は動作電圧に満たないため、電源７はＰｏｗｅｒ−Ｇｏｏｄ信号はＬｏｗレベルとなり、スイッチ１６と第１負荷抵抗２が接続されて第１負荷抵抗２に負荷電流が流れる。一方、電源７が回路基板６に実装される電子回路の動作電圧（安定状態）になるとＨｉｇｈレベルになり、スイッチ１６と第１負荷抵抗２の接続が切り離されて第１負荷抵抗２に負荷電流は流れない。
【００４５】
このように、第３の実施形態は、回路基板６に接続する電源７に応じたジャンパの設定によって負荷抵抗を選択することでき、かつ、電力制御回路１に入力される制御信号に応じて選択された負荷抵抗を切り離すことが可能となる。
【００４６】
本発明の第３の実施形態は、接続する電源に応じた負荷抵抗を選択できスタンバイ電圧による余計な消費電力を抑制できる。また、電源が動作電圧の時に負荷抵抗が消費する無駄な電力を削減することができる。
【００４７】
その理由は、電力制御回路１が、電源毎に、スタンバイ電圧で回路基板の最小負荷電流を満たす負荷抵抗を備え、選択部４により、回路基板に接続する電源に応じて負荷抵抗を選択可能としたからである。また、電力制御回路１が選択部４と負荷抵抗３の間にスイッチ１６を備え、選択部によって選択された負荷抵抗に対して、電源の出力電圧の状態を示す制御信号に応じて切り離す構成を採用したからである。
＜第４の実施形態＞
次に、本発明の第４の実施形態における電力制御回路１ついて図３および図５を用いて説明する。第４の実施形態の電力制御回路１は、第３の実施形態の電力制御回路１と第１負荷抵抗部の構成が異なる。第４の実施形態の説明において、第３の実施形態と同一の構成は簡易に説明し、異なる構成は詳細に説明する。
【００４８】
図５に示すように、電力制御回路１の第１負荷抵抗部１０は、第１選択部１２、ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）スイッチ１８、及び、第１負荷抵抗２を備える。
【００４９】
ＭＯＳＦＥＴスイッチ１８はゲート端子、ドレイン端子、及び、ソース端子を備え、ゲート端子は第１選択部１２に接続され、ドレイン端子は第１負荷抵抗２の一端に接続され、ソース端子は接地される。第１負荷抵抗２の他端は、スタンバイ電圧が供給される入力部Ｐに接続される。
【００５０】
第１負荷抵抗部１０の第１選択部１２は、第１ジャンパ１４とＡＮＤ回路で構成された入力回路１７を備える。入力回路１７の一方の入力は第１ジャンパ１４と接続され、入力回路１７の他の入力は制御信号が入力される入力部Ｑに接続される。
【００５１】
第４の実施形態である電力制御回路１の第１ジャンパ１４は、入力端ＲからのＨｉｇｈレベル信号とＬｏｗレベル（接地電位）をジャンパ設定で選択可能な構成を備える。第４の実施形態のジャンパ設定として、電源７に対応した負荷抵抗を備えた負荷抵抗部は、Ｈｉｇｈレベルの信号を出力する設定とし、電源７に対応しない負荷抵抗を備えた負荷抵抗部は、Ｌｏｗレベルの信号を出力する設定とする。例えば、第１負荷抵抗部１０の第１負荷抵抗２を選択する場合、第１ジャンパ１４はＨｉｇｈレベル信号が出力されるジャンパ設定とする。更に、第２負荷抵抗部１１の第２ジャンパはＬｏｗレベル信号が出力されるジャンパ設定とする。
【００５２】
第１負荷抵抗部１０の入力回路１７は、第１ジャンパ１４のＨｉｇｈレベルの入力信号と、制御部５からの制御信号が入力される。入力回路１７の出力は後段のＭＯＳＦＥＴスイッチ１８のゲート端子に接続される。
【００５３】
第１電源がスタンバイ電圧を供給する間、回路基板６に接続された第１電源は、Ｐｏｗｅｒ−Ｇｏｏｄ信号としてＬｏｗレベルの信号を制御部５へ出力する。制御部５は、Ｐｏｗｅｒ−Ｇｏｏｄ信号を反転させ制御信号（Ｈｉｇｈレベル）を入力回路１７へ出力する。
【００５４】
続いて、第１負荷抵抗部１０の入力回路１７のＡＮＤ回路は、第１ジャンパ１４で第１負荷抵抗２を選択した信号（Ｈｉｇｈレベル）と制御信号（Ｈｉｇｈレベル）の入力により、出力信号（Ｈｉｇｈレベル）をＭＯＳＦＥＴスイッチ１８に出力する。ＭＯＳＦＥＴスイッチ１８は、出力信号（Ｈｉｇｈレベル）により第１負荷抵抗２との接続が維持され、第１負荷抵抗２には負荷電流が流れる。
【００５５】
次に、制御信号に基づき、第１負荷抵抗２を切り離して第１負荷抵抗２に負荷電流が流れない状態について説明する。
【００５６】
第１電源は、所定の出力電圧を回路基板６に供給できる状態になると、Ｐｏｗｅｒ−Ｇｏｏｄ信号（Ｈｉｇｈレベル）を制御部５へ出力する。制御部５は、Ｐｏｗｅｒ−Ｇｏｏｄ信号を反転させた信号（Ｌｏｗレベル）を入力回路１７へ出力する。
【００５７】
続いて、入力回路１７は、第１ジャンパ１４で第１負荷抵抗２を選択した信号（Ｈｉｇｈレベル）と制御信号（Ｌｏｗレベル）に基づき、出力信号（Ｌｏｗ）をＭＯＳＦＥＴスイッチ１８に出力する。ＭＯＳＦＥＴスイッチ１８は、出力信号（Ｌｏｗ）により第１負荷抵抗２との接続が切り離され、第１負荷抵抗２に負荷電流が流れなくなる。
【００５８】
一方、第２負荷抵抗部１１の第２ジャンパは、ジャンパ設定によりＬｏｗレベルの出力信号が出力される。
【００５９】
一方、第２負荷抵抗部１１の入力回路は、第２ジャンンパからのＬｏｗレベル信号が入力される。このため、もう一方の入力となる制御部５からの制御信号がＨｉｇｈレベルの又はＬｏｗレベルのいずれであっても入力回路からＭＯＳＦＥＴスイッチ１８への出力信号はＬｏｗレベルの信号となる。ＭＯＳＦＥＴスイッチ１８は、Ｌｏｗレベル信号により第２負荷抵抗の接続が切り離された状態となる。すなわち、第２負荷抵抗部の第２ジャンパのジャンパ設定をＬｏｗレベルとすることで制御信号によらず、第２負荷抵抗との接続は切り離された状態となる。
【００６０】
以上の説明のように、第４の実施形態の電力制御回路１、及び、電力制御回路１を搭載した回路基板６によれば、回路基板６に接続する電源７に応じて、電源７毎に適切な負荷抵抗を選択することができ、さらに、電源７が動作電圧を印加している間も負荷抵抗との接続を切り離すことできる。これにより、電源７がスタンバイ電圧を印加している間、及び、電源７が動作電圧を回路基板に印加している間における消費電力を共に低減することができる。
【００６１】
なお、第４の実施形態では、説明を簡単にするために、第１の負荷抵抗部１０が選択された場合における第１負荷抵抗２の接続と切り離しについて説明したが、第２の負荷抵抗部１１が選択されたでも第１の負荷抵抗部１０と同様に第２の負荷抵抗３の接続と切り離しができる。
＜第５の実施形態＞
本発明の第５の実施形態における回路基板、及び、情報処理装置について図６を用いて説明する。図６は、第５の実施形態は、第１の実施形態の電力制御回路１を搭載した回路基板６、及び、情報処理装置８を示すブロック図である。
【００６２】
図中、情報処理装置８は、回路基板６と電源７を備える。回路基板６は、電力制御回路１を備え、回路基板６を駆動するための電源７と接続されている。電源７は、回路基板６の動作電圧の他に、スタンバイ時のスタンバイ電圧を供給する機能を備える。回路基板６の電力制御回路１は、第１負荷抵抗２、第２負荷抵抗、選択部４を備える。
【００６３】
回路基板６は、異なる仕様の電源で動作可能であり、異なる仕様の電源を、第１電源、及び、第２電源として説明する。
【００６４】
電力制御回路１の第１負荷抵抗２は、第１電源のスタンバイ電圧で回路基板６の最小負荷電流を満足させる抵抗値（Ｒ１Ω）を有し、第２の負荷抵抗３は、第２電源のスタンバイ電圧で回路基板６の最小負荷電流を満足させる抵抗値（Ｒ２Ω）を有する。
【００６５】
電力制御回路１の選択部４は、回路基板６に接続する第１電源、又は、第２電源に応じて第１負荷抵抗２、第２負荷抵抗３のいずれかを選択する機能を備える。選択部４による第１負荷抵抗２、第２負荷抵抗３の選択は、電力制御回路１にスタンバイ電圧が印加される前に実施すること好ましい。
【００６６】
本発明の第５の実施形態の回路基板６によれば、異なる仕様の電源７で動作可能な回路基板６におけるスタンバイ電圧の印加時の電力消費を抑制することが可能となる。
【００６７】
その理由は、電力制御回路１が、異なる仕様の電源７毎に、スタンバイ電圧の印加時に負荷電流を流すための負荷抵抗を備え、選択部４により回路基板６に接続する電源７に応じて負荷抵抗を選択可能とした構成を備えるからである。
【００６８】
なお、本明細書の各実施形態における電源は、ＡＣ−ＤＣ（Ａｌｔｅｒｎａｔｉｎｇ  Ｃｕｒｒｅｎｔ−Ｄｉｒｅｃｔ  Ｃｕｒｒｅｎｔ）電源の他に蓄電池も適用できる。
【００６９】
以上、実施形態を参照して本発明を説明したが、本発明は上記実施形態に限定されたものではない。本発明の構成や詳細には、本発明のスコープ内で当業者が容易に理解し得るような様々な変更をすることができる。
【符号の説明】
【００７０】
１  電力制御回路
２  第１負荷抵抗
３  第２負荷抵抗
４  選択部
５  制御部
６  回路基板
７  電源
８  情報処理装置
１０  第１負荷抵抗部
１１  第２負荷抵抗部
１２  第１選択部
１３  第２選択部
１４  第１ジャンパ
１５  第２ジャンパ
１６  スイッチ
１７  入力回路
１８  ＭＯＳＦＥＴスイッチ
【図１】
2015172864.tif 000003
【図２】
2015172864.tif 000004
【図３】
2015172864.tif 000005
【図４】
2015172864.tif 000006
【図５】
2015172864.tif 000007
【図６】
2015172864.tif 000008